(57)【要約】【課題】集魚灯の防水性を確保しつつ簡易にＬＥＤの発光を切り替えることができる集魚灯用点灯装置を提供する。【解決手段】集魚灯用点灯装置１０は、密閉構造に形成された集魚灯１内に配置され、電池ＢＴにより作動する。そして、点灯装置１０は、複数のＬＥＤ１６と、集魚灯１外の信号発生源から供給される供給信号に基づき指令信号を出力する指令器１４と、指令器１４からの指令信号に基づき予め定められた複数の発光方式から所定の発光方式を選定し、この選定された発光方式に対応した制御電力をＬＥＤ１６に供給する制御器１５と、を備える。このように、点灯装置１０は、外部から供給される供給信号に基づき特定の発光方式を選択できるため、点灯装置１０が配置される集魚灯１を開閉することなく簡易にＬＥＤ１６の発光を切り替えることができる。【選択図】図２
2013247947.tif 000002
【特許請求の範囲】
【請求項１】
密閉構造に形成された集魚灯内に配置され、電池により作動する集魚灯用点灯装置において、
少なくとも一つのＬＥＤと、前記集魚灯外の信号発生源から供給される供給信号に基づき指令信号を出力する指令器と、前記指令器からの前記指令信号に基づき予め定められた複数の発光方式から所定の発光方式を選定し、前記選定された発光方式に対応した制御電力を前記ＬＥＤに供給する制御器と、を備えることを特徴とする集魚灯用点灯装置。
【請求項２】
請求項１に記載の集魚灯用点灯装置において、
前記信号発生源および前記供給信号は、それぞれ磁石および磁気信号であり、前記指令器は前記磁気信号に基づき指令信号を出力することを特徴とする集魚灯用点灯装置。
【請求項３】
請求項２に記載の集魚灯用点灯装置において、
前記予め定められた複数の発光方式の一つは１／ｆ揺らぎ発光パターンであることを特徴とする集魚灯用点灯装置。
【請求項４】
請求項３に記載の集魚灯用点灯装置において、
前記制御器は、前記１／ｆ揺らぎ発光パターンに対応するパターン信号を予め記憶しておくメモリを備えることを特徴とする集魚灯用点灯装置。
【請求項５】
請求項４に記載の集魚灯用点灯装置において、
前記制御器は、前記メモリからの前記パターン信号に対応するＰＷＭ信号を出力することを特徴とする集魚灯用点灯装置。
【請求項６】
請求項２に記載の集魚灯用点灯装置において、
前記集魚灯用点灯装置は、発光波長の異なる２以上のＬＥＤを備え、
前記複数の発光方式は、上記２以上のＬＥＤのいずれに選択的に制御電力を給電するかを定めるものであることを特徴とする集魚灯用給電装置。
【請求項７】
請求項６に記載の集魚灯用点灯装置において、
前記２以上のＬＥＤのうち少なくとも１つのＬＥＤの発光波長は、１０ｎｍ以上４００ｎｍ以下であることを特徴とする集魚灯用給電装置。
【請求項８】
請求項１〜７のいずれか１つの請求項に記載された集魚灯用点灯装置において、
前記制御器は電池の電圧値が予め定められた所定の電圧値以下の場合には前記ＬＥＤへの制御電力の給電をすべて停止することを特徴とする集魚灯用点灯装置。
【請求項９】
請求項１〜７のいずれか１つの請求項に記載された集魚灯用点灯装置において、
前記制御器はパターン選択情報をパターン選択時に保持しておき、給電開始時にパターン選択情報を不揮発性メモリより読み出し、発光パターンを設定することを特徴とする集魚灯用点灯装置。
【請求項１０】
請求項１〜９のいずれか１つの請求項に記載された集魚灯用点灯装置を備えることを特徴とする集魚灯。
【発明の詳細な説明】
【技術分野】
【０００１】  この発明は、集魚灯用点灯装置およこの点灯装置を備える集魚灯に関する。
【背景技術】
【０００２】  イカ釣り等に使用される集魚灯として、ＬＥＤを発光体とする点灯装置を備える集魚灯がある（例えば、特許文献１）。この集魚灯は、単３または単４型電池が収容される有底筒状の電池ケースと、発光体としてＬＥＤを備え、電池ケースの開口側に配置される点灯装置と、透明の樹脂より形成され、電池ケースの開口側からこの点灯装置を内包する椀状の点灯装置ケースと、を備える。ここで、集魚灯は水中にて使用されるものであるため、電池ケースと点灯装置ケースとの接合部にＯリングが用いられており、この電池ケースと点灯装置ケースによる密閉構造により、内包される点灯装置および電池の防水性は確保される。
【先行技術文献】
【特許文献】
【０００３】
【特許文献１】  特開２０１０−２００７３６号公報
【発明の概要】
【発明が解決しようとする課題】  上記のような点灯装置は、高圧下での防水性を確保する必要があり、切り替えスイッチなどをそれ自体に設けることは困難である。そのため、ＬＥＤの発光を切り替える場合には、点灯装置ケースと電池ケースとを開放して、内包されていた点灯装置を、別個のＬＥＤが用いられている別個の点灯装置に取り換える作業が必要であり、この作業は面倒である。また、上記のように点灯装置ケースと電池ケースとを開放して点灯装置を取り換える場合、電池や点灯装置が外部に露呈するため、電池や点灯装置に海水や雨滴等が付着するおそれがある。【０００４】  そこで、この発明は、上述した事情に鑑みてなされたものであって、集魚灯の防水性を確保しつつ簡易にＬＥＤの発光を切り替えることができる集魚灯用点灯装置およびこの点灯装置を備える集魚灯を提供することを目的とする。
【課題を解決するための手段】
【０００５】  上記の課題を解決するために、本発明の集魚灯用点灯装置は、密閉構造に形成された集魚灯内に配置され、電池により作動し、この点灯装置は、複数のＬＥＤと、集魚灯外の信号発生源から供給される供給信号に基づき指令信号を出力する指令器と、指令器からの指令信号に基づき予め定められた複数の発光方式から所定の発光方式を選定し、この選定された発光方式に対応した制御電力をＬＥＤに供給する制御器と、を備える。【０００６】  このように、この集魚灯用点灯装置は、外部から供給される供給信号に基づき特定の発光方式を選択できるため、この点灯装置を内包する集魚灯を開閉することなく簡易にＬＥＤの発光を切り替えることができる。
【発明の効果】
【０００７】  本発明によれば、集魚灯の防水性を確保しつつ、簡易にＬＥＤの発光を切り替えることができる集魚灯用点灯装置およびこの点灯装置を備える集魚灯を提供することができる。
【図面の簡単な説明】
【０００８】
【図１】  本発明の実施形態における集魚灯、および磁石ケースの斜視図である。
【図２】  本発明の実施形態における集魚灯の組み付け斜視図である。
【図３】  本発明の実施形態における集魚灯用点灯装置のシステムブロック図である。
【図４】  磁石（Ｓ極）による集魚灯への指令を説明する図である。
【図５】  磁石（Ｎ極）による集魚灯への指令を説明する図である。
【図６】  本発明の実施形態における集魚灯の使用状態を説明する図ある。
【発明を実施するための形態】
【０００９】  次に、この発明の実施形態の集魚灯１および集魚灯１に備わる集魚灯用点灯装置１０について、図１から図３に基づき説明する。
【００１０】  図１および図２に示すように、集魚灯１は、単３または単４型電池ＢＴが収容される有底筒状の電池ケース２と、発光体として複数のＬＥＤ１６を備え、電池ケース２の開口側に配置される点灯装置１０と、透明の樹脂より形成され、電池ケース２の開口側からこの点灯装置１０を内包する椀状の点灯装置ケース３と、を備える。
【００１１】  ここで、集魚灯１は水中にて使用されるものであるため、電池ケース２と点灯装置ケース３との接合部にＯリング４が用いられており、この電池ケース２と点灯装置ケース３による密閉構造により、内包される点灯装置１０および電池ＢＴの防水性は確保される。
【００１２】  また、後述のように、集魚灯１の集魚灯用点灯装置１０の発光方式の選択には集魚灯１外に配置される第１および第２磁石（信号発生源）（２１，２２）が用いられる。そして、第１および第２磁石（２１，２２）から供給される磁気信号（供給信号）に基づき、発光方式が選定される。ここで、図１に示すように、本実施形態では、第１および第２磁石（２１，２２）が設置される磁石ケース２０として、イカ釣り用の疑似餌ｍが取り付けられる疑似餌ホルダが兼用されている。
【００１３】  次に、図２および図３に基づき本本実施形態の点灯装置１０について説明する。点灯装置１０は、円盤形状の基板１１と、基板１１に設けられている電極１２，レギュレータ１３，指令器としてのホールセンサ１４，制御器としてのマイコン１５および複数のＬＥＤ１６と、を備える。
【００１４】  ここで、本実施形態では５つのＬＥＤ１６が用いられており、赤色ＬＥＤ１６ａ、緑色ＬＥＤ１６ｂと、青色ＬＥＤ１６ｃおよび２つの紫外ＬＥＤ（１６ｄ，１６ｅ）から構成されている。なお、２つの紫外ＬＥＤ（１６ｄ，１６ｅ）の発光波長は１０ｎｍ以上４００ｎｍ以下、望ましくは３１５ｎｍ以上３８０ｎｍ以下に設定されている。なお、紫外ＬＥＤ（１６ｄ，１６ｅ）から発光される紫外線は減衰量が小さいため、水中において広範囲に伝播される。
【００１５】  電極１２は、基板１１の裏面（電池側）に設けれ、電池ＢＴの正端子に電気的に接続され、電極１２から点灯装置１０を作動する電力が供給される。そして、電極１２から供給された電力はレギュレータ１３により昇圧され、昇圧された電力がマイコン１５に供給される。
【００１６】  ホールセンサ１４は、集魚灯１の外部に配置された磁石（２１，２２）からの磁気信号（磁束）に基づき指令信号を出力する。ここで、ホールセンサ１４は２極型ホールセンサであり
【００１７】  そして、図４に示すように、集魚灯１を（１）磁石２１から離れた位置（ホールセンサ１４へ供給される磁束が殆どない位置）から（２）磁石２１のＳ極側に近接した位置（ホールセンサ１４へＳ極に流入する磁束が作用する位置）を経て、（３）磁石２１から離れた位置（ホールセンサ１４へ供給される磁束が殆どない位置）に移動された場合に、指令信号としてＳ信号を出力する。
【００１８】  同様に、図５に示すように、集魚灯１を（４）磁石２２から離れた位置（ホールセンサ１４へ供給される磁束が殆どない位置）から（５）磁石２２のＮ極側に近接した位置（ホールセンサ１４へＮ極に流出する磁束が作用する位置）を経て、（６）磁石２２から離れた位置（ホールセンサ１４へ供給される磁束が殆どない位置）に移動された場合に、指令信号としてＮ信号を出力する。
【００１９】  マイコン１５は、指令器としてのホールセンサ１４からの指令信号（Ｓ信号，Ｎ信号）に基づき予め定められた複数の発光方式から所定の発光方式を選定し、選定された発光方式に対応した制御電力をＬＥＤ（１６ａ〜１６ｃ）に供給する。
【００２０】  以下、上記のマイコン１５での処理を詳しく示す。マイコン１５には、書き換え可能な不揮発性メモリ（ＥＥＰＲＯＭ）１５ｂが内蔵されている。そして、マイコン１５内での処理により選定された所定の発光方式に対応する信号が、このメモリ１５ｂに書き込まれる。ここで、メモリ１５ｂは書き換え可能なメモリであり、新たに上記信号が書き込まれる際に、従前に記録されていた発光方式に対応する信号は、新たに書き込まれる信号に書き換えられる。そして、この新たに書き込まれた所定の発光方式に対応する信号に基づき所定の制御電力をＬＥＤ（１６ａ〜１６ｃ）に供給する。
【００２１】  ここで、上記の発光方式は、例えば、
（ａ）赤色ＬＥＤ（１６ａ）のみを発光、
（ｂ）緑色ＬＥＤ（１６ｂ）のみを発光、
（ｃ）青色ＬＥＤ（１６ｃ）のみを発光、
（ｄ）２つの紫外ＬＥＤ（１６ｄ，１６ｅ）のみを発光、のいずれかを選定するもの（４方式）であってよく、さらに、
（Ａ）略一定の光量にて発光、
（Ｂ）１／ｆ揺らぎパターンで発光、のいずれかを追加的に選定するもの（８方式＝４方式×２）であってよい。
【００２２】  従って、例えば（ａ）かつ（Ａ）の発光方式の場合には、赤色ＬＥＤ（１６ａ）のみを略一定の光量にて発光する制御電力がマイコン１５からＬＥＤ１６に供給される。また、例えば（ｄ）かつ（Ｂ）の発光方式の場合には、２つの紫外ＬＥＤ（１６ｄ，１６ｅ）のみを１／ｆ揺らぎパターンで発光する制御電力がマイコン１５からＬＥＤ１６に供給される。なお、発光方式は上記に限定されないことは言うまでもなく、例えば、赤色ＬＥＤ（１６ａ）と２つの紫外ＬＥＤ（１６ｄ，１６ｅ）とを同時に発光される等、様々な発光方式であってよい。
【００２３】  ここで、上記のように（ｄ）２つの紫外ＬＥＤ（１６ｄ，１６ｅ）を同時に発光されることにより、より大きな光量の光が集魚灯１から発光され、イカｘの集魚効果が高まる。また、（Ｂ）１／ｆ揺らぎパターンは、人工的な光の強弱でなく自然界において一般的な光の強弱に相当するものであり、生物に警戒心を与えることがなく、イカｘの集魚効果は一層高いものとなる。
【００２４】  次に、上記の（Ｂ）１／ｆ揺らぎパターンのマイコン１５での形成について説明する。マイコン１５には、書き込み不可であるフラッシュメモリ（ＲＯＭ）１５ａが内蔵されており、このメモリ１５ａに１／ｆ揺らぎ発光パターンに対応するパターン信号が予め記憶されている。そして、マイコン１５ではこのパターン信号をサンプリングタイミング毎に読み込み読み込まれたパターン信号に相当する強度の制御電力をＰＷＭ信号（ｐｕｌｓｗｉｄｓ  ｍｏｄｕｌａｔｉｎ、パルス変調信号）に基づき出力する。
【００２５】  また、電池ＢＴの電圧値は、マイコン１５で監視されており、マイコン１５は、電池ＢＴの電圧値が予め定められた所定の電圧値以下の場合にはＬＥＤ１６への制御電力の給電をすべて停止する。
【００２６】  次に、電池ＢＴからの点灯装置１０への通電開始（電源投入）時における点灯装置１０の作動について説明する。上記の電源投入時において、マイコン１５では、マイコン１５内の不揮発性メモリ１５ｂに電源投入前に予め記憶されていた発光方式が読み出される。そして、マイコン１５からは、この読み出された所定の発光方式に対応した制御電力をＬＥＤ（１６ａ〜１６ｃ）に供給する。なお、上記の読み出し処理において、読み出し値が不適であると判断された場合は、予め定められた発光方式に対応した制御電力がＬＥＤ（１６ａ〜１６ｃ）に供給される。
【００２７】  最後に本実施形態における集魚灯１の使用例について、図６に基づき説明する。図４または図５に示す操作を予め定められた所定の手順に沿って所定の回数行い、所定の発光方式（例えば、２つの紫外ＬＥＤ（１６ｄ，１６ｅ）のみを１／ｆ揺らぎパターンで発光）を、集魚灯用点灯装置１０に設定する。そして、上記に設定された集魚灯１を仕掛け（重りｗ，疑似餌ｍ）とともに水中に設置する。そして、水中に設置された集魚灯１からは上記の所定の発光方式の光が発光され、この発光された光によりイカｘなどの水生生物が効果的に誘引され、集魚灯１の近接に配置された疑似餌ｍにより捕獲される。
【００２８】  なお、本発明は上述の実施形態に限られるものではなく、本発明の趣旨を逸脱しない範囲において、上述の実施形態に種々の変更を加えたものを含む。本実施の形態では、集魚灯用点灯装置１０は複数のＬＥＤを備えているが、一つのＬＥＤを備えたものてあっても良いことは言うまでもない。
【符号の説明】
【００２９】１…集魚灯、２…電池ケース、３…点灯装置ケース、４…Ｏリング、ＢＴ…電池、ＧＮＤ…接地、１０…集魚灯用点灯装置、１１…基板、１２…電極、１３…レギュレータ，１４…指令器（ホールセンサ）、１５…制御器（マイコン）、１５ａ…フラッシュメモリ（ＲＯＭ）、１５ｂ…不揮発メモリ（ＥＥＰＲＯＭ）、１６…ＬＥＤ、１６ａ…赤色ＬＥＤ、１６ｂ…緑色ＬＥＤ、１６ｃ…青色ＬＥＤ、１６ｄ…紫外ＬＥＤ、１６ｅ…紫外ＬＥＤ、２０…磁石ケース（疑似餌ホルダ）、２１…第１磁石、２２…第２磁石、ｍ…疑似餌、ｔ…テグス、ｔ１…道糸、ｗ…重り、ｘ…イカ
【図１】
2013247947.tif 000003
【図２】
2013247947.tif 000004
【図３】
2013247947.tif 000005
【図４】
2013247947.tif 000006
【図５】
2013247947.tif 000007
【図６】
2013247947.tif 000008